(57)【特許請求の範囲】
【請求項１】
所定高さに立設した支柱の軸芯周りに旋回自在となるように長尺の回転体の一端を係着、前記回転体の他端を前記支柱の上端から伸縮自在の弾性体で形成された糸状材で旋回自在、上下動自在に吊り下げ、駆動部で旋回させることで鳥等を追い払う鳥害防止装置。
【請求項２】
回転体および／または糸状材の適所には、猛禽類模型体および／または光線反射材料および／または永久磁石を取着してなるものとしたことを特徴とする請求項１に記載の鳥害防止装置。
【請求項３】
駆動部の動力源は電動機とした請求項１または２に記載の鳥害防止装置。
【請求項４】
駆動部の動力源は風力とした請求項１または２に記載の鳥害防止装置。
【請求項５】
支柱部の適所に、スピーカーを具備し、近所に害鳥が飛来した時、害鳥の忌避音を周辺に向けて自動的に発生し得る音声発生回路を並置した、請求項１から４のいずれかに記載の鳥害防止装置。
【請求項６】
電動機および／または音声発生装置の電源として、商用および／または太陽光発電および／または風力発電および／または蓄電池および／またはそれらの組み合せとした、請求項１から５のいずれかに記載の鳥害防止装置。
【発明の詳細な説明】
【０００１】
【発明の属する技術分野】
本発明は、田畑や果樹園等に飛来し、あるいはその周辺に生息して農作物や播種後の種子等を食害する野鳥等を追い払う技術に関する。
【０００２】
【従来の技術】
従来、稲や米の栽培では、案山子を立てて人の姿としたり、キラキラするリボンを捻りながら張り、風で揺れることによる太陽光線の乱反射を発生させたり、また、農作物の上に害鳥には見えない細い糸を張り、飛来した害鳥の体に触れることで脅威とし、飛来を防止するなど多種多様であったが、いずれも効果は少なく、このため、例えば特開平５−１２３０９３号公報のような威嚇音を発生したり、実開平５−７０２８１号公報や特開２００１−１９０２１２号公報のような怪鳥や猛禽類の模型で脅したり、特開平８−９８６６号公報や特開平１０−２４８４７２号公報のような磁石による飛来を防止したり、実開平７−１７０８３号公報のような追い払う鳥害防止装置が開発されている。
【０００３】
【発明が解決しようとする課題】
しかしながら、威嚇音を発生するものは近所の住民に騒音で迷惑が掛かり、怪鳥や猛禽類の模型で脅すものは案山子と同様直ぐに馴れてしまい、磁石による飛来の防止は効果の範囲が狭い。実開平７−１７０８３号公報のような釣り竿を自動車用ワイパーモーターで不規則に減速回転しても直ぐに馴れて竿に害鳥が留まってしまう。また、音響発生装置や可動装置を用いるときは電源を必要とするが通常商用電源が身近で無い事が課題であり、広範囲にわたり効果を持続させることが要求されている。
【０００４】
本発明は、このような従来の課題を解決するものであり、周辺環境へ悪影響を及ぼすことも無く、田畑や果樹園等において、簡易に、効果を持続して発揮する事のできる鳥害防止装置を提供する事を目的とする。
【０００５】
【課題を解決するための手段】
本発明の鳥害防止装置は上記目的を達成するために、可撓性材料からなる鳥尺の回転体を所要の場所に立設し、駆動部で旋回させるものである。本発明によれば、回転体の可撓性により害鳥を追い払う効果を持続する。
【０００６】
また、他の手段は、回転体を棒状として、糸状材で吊り下げて旋回させるものである。そして、本発明によれば糸状材が脅威となり、害鳥を追い払う効果を持続することが出来る。
【０００７】
また、回転体は、伸縮自在の弾性体で吊り下げたものである。そして本発明によれば、陽動的な回転体の動きが、害鳥を追い払う効果を持続することができる。
【０００８】
また、他の手段は、本装置の回転する部分に猛禽類模型体、光線反射材、永久磁界等を取着するものである。本発明によれば、各部材の特性が相乗効果を発揮し、害鳥を追い払う効果を持続することができる。
【０００９】
また、他の手段は、駆動部の動力源を電動機としたものである。そして電動機によれば、その特性上、害鳥が馴れ無い様にするための効果的な運転の制御を簡易にできる。
【００１０】
また、他の手段は、駆動部の動力源を風力としたものである。そして風力の性質上、本装置を設ける場所においては調達が容易であると共に、ランニングコストを不要とすることができる。
【００１１】
また、他の手段は、スピーカーと、害鳥の忌避音を発生する音声発生制御部と、鳥害の飛来感知器を備えた音声発生装置を備えたものである。そして本発明によれば、害鳥が飛来したときのみ忌避音を発生するので、周辺環境へ悪影響を抑制することができる。
【００１２】
また、他の手段は、駆動部ならびに音声発生装置の動力源として、商用電源のほかに自然エネルギーおよび化学エネルギーを用いるものである。そしてエネルギーの複合利用により動力源の調達が容易になり、太陽光発電や風力発電を電源にするとランニングコストを不要とすることができる。
【００１３】
【発明の実施の形態】
本発明は、ピアノ線材あるいは鋼板等の可撓性材料からなる棒状または帯状で長尺の回転体を、立設した支柱の上端部に旋回自在に支持し駆動部によって旋回させることで鳥などを追い払うものであり、回転体は回転動作と共に軸方向へ撓みによる反曲運動が発生し、比較的緩やかな回転であっても鳥などに対して視覚的及び触覚的な脅威を与える不規則な動きを繰り返す作用を有する。
【００１４】
また、回転体を棒状とし、一端を立設した支柱の軸心周りに係止し、先端を支柱の上端部から釣糸状の強靭な糸状材で旋回自在に吊り下げたものであり、糸状材は吊り下げ長さを延長しても質量の増加は少なく、駆動部並びに支柱に対する負荷の増加は少なく回転体の回転動作範囲を拡大でき、また細い糸状材は鳥などの視覚に留り難く接触することで脅威を与える作用を有する。
【００１５】
以下、本発明の実施例について図面を参照しながら説明する。
【００１６】
【実施例】
（参考例１）
図１及び図２に示すように、鳥害防止装置１は鋼管を用いた円柱状の支柱２の上端に電動機を内蔵する駆動部３を固定し、稲田など本装置を必要とする所へ下端を埋めこみ鉛直に立設する。駆動部３の上面には支柱２の軸心に一致させて内蔵する電動機回転軸４に連結して回転板５を取付ける。そしてピアノ線材を所要太さの棒状に形成した所定長さの回転体６を２本、支柱２の軸心に対向して回転板５の周端から突出するように固定する。回転体６の先端にはそれぞれ脅し部材７として重りを兼ねた猛禽類模型体７ａを設け、静止時には枝垂れ状、回転時には円弧を描いて撓うようにする。更に回転体６の所々には脅し部材７としてキラキラと光線を反射するようにアルミ蒸着をしたプラスチックフィルムをひらひらなびくリボン７ｂとして吊り下げ、他に忌避物としての永久磁石を取付ける。また、駆動部３の下方の支柱２には害鳥の鳴き声を集音するマイクロフォン８と忌避音を発生するスピーカー９を設け、マイクロフォン８とスピーカー９の間には太陽光発電素子１０が太陽光を都合良く受けるように配置する。そして支柱２の下方に箱体の操作部１１を設け、内部に太陽光発電素子１０からの電力を蓄積し必要に応じて供給する蓄電池及び商用電源の電源スイッチ等の配電器具と、マイクロフォン８ならびにスピーカー９との音声発生回路１２を構成する集音用の増幅器１３、集音した害鳥の鳴き声を選別するフイルター１４、害鳥の忌避音を有する音声ボード１５および忌避音用の増幅器１６を配設している。
【００１７】
上記の構成において各部の働きについて順次説明する。スズメ、カラス、鳩等の害鳥は、遠方から稲田等に直接飛来せず、まず、近くの電線やフェンス、時には案山子などに留まり、周囲を警戒したり、威嚇したりする。その時大きな鳴き声を上げる。この鳴き声をマイクロフォン８でキャッチすると駆動部３の電動機を運転して回転板５に固定された回転体６が回転する。同時に音声ボード１５の猛禽類の鳴き声や忌避音がスピーカー９から鳴り響き、回転体６は猛禽類模型体７ａならびにヒラヒラなびきながらキラキラと光線の乱反射をするリボン７ｂと共に旋回しながら陽動的な反曲運動を行う。そして聴覚からの恐怖感と、反曲運動を伴い旋回する物体に対する視覚的・本能的な恐怖感・嫌悪感から害鳥は速やかに退散する。また、曇天で日射が弱く、あるいは回転体６の回転が弱い場合においても陽動的な反曲運動があるから、リボン７ｂの光線乱反射の低下は少なく、反射猛禽類模型体７ａの動きがリアルであり、害鳥が馴れて回転体６に止まるようなことはない。また、駆動部３は電動機を用いているから、回転体６の回転調節を不規則なものにすることも容易であり、害鳥が慣れないようにすることができる。
【００１８】
なお、鳴き声を集音するマイクロフォン８は各現場毎に電線やフェンスのある方向に向けておくとより効果的である。また、回転体６の材質形状は装置の規模によっては、竹材やカーボンファイバー等を棒状に限らず板状に形成してもよい。
【００１９】
（参考例２）
図３に示す鳥害防止装置１７は、参考例１における支柱の上端に設けた電動機を内蔵する駆動部の回転板部分をサポニウス風車１８としたもので、参考例１と同様箇所には同符号を付し説明は省略する。この構成により電動機は風による回転数が所定に達すると発電機となり、太陽光発電素子１０からの電力と共に蓄電池に蓄積されるものである。そして充電はされないが回転する風力があるときに害鳥が飛来した場合には風力のみを用い、風力による回転では不足の場合には商用電源並びに自然エネルギーによる蓄電池の電力で発電機でもある電動機を駆動する。
【００２０】
このように自然エネルギーによる電力は変動が大きく、例えば、害鳥は早朝や日没前に食欲が旺盛で、この時間帯に作物は食害に逢い易い。所がこの時間帯の太陽光は弱く、また風力も弱いため発電量は少ない。そのため蓄電池を設けて青天日中の太陽光の強い時や、夜間でも発電できる風力による余剰電力を蓄積し、必要時に都度利用できるようにするのが効果的である。
【００２１】
なお、風車はプロペラ型風車でもよい。
【００２２】
（参考例３）
図４に示すものは、参考例１における可撓性を有する長尺棒状の回転体を固形棒状とし、支柱の上端部から糸状材で旋回自在に吊り下げたものであり、参考例１と同様箇所には同符号を付し説明は省略する。すなわち鳥害防止装置１９は、立設した円柱状の支柱２０の下方外周で地表から所要高さの位置に、筒状の回転輪２１を回転自在に装着し、支柱２０に外付けした電動機２２でベルト駆動する。支柱２０は必要とする所へ下端を埋めこみ鉛直に立設し、上端からは地表に支線２０ａを張架しアンカー２０ｂで固定する。回転輪２１の外周には所定長さの棒状の回転体２３を２本、支柱２０の軸心に対向して突出するように固定し、さらに支柱１９の上方外周に補助環２４を回転自在に装着し、回転体２３の先端部を釣糸のように細く強靭なピアノ線材の吊下げ線２５で繋ぎ止め水平に保持する。このように回転体２３は回転輪２１と吊下げ線２５によって両端を保持されるから相当長尺とすることができ、そのため支柱２０も支線２０ａを張架し強化されている。そして回転体２３には脅し部材７としての猛禽類模型体７ａ、光線反射プラスチックフィルムのリボン７ｂを要所に配置する。
【００２３】
上記の構成において、スピーカー９が鳴り響き、電動機２２が回転輪２１を回転すると、回転体２３は猛禽類模型体７ａならびにリボン７ｂをひらめかしながら旋回する。それでも害鳥が回転体２３に止まろうと近寄ると細く見え難い吊下げ線２５に接触し、一度体に異物が接触した害鳥は二度と近寄らない。また、回転体２３は相当長尺とすることができるから広範囲にわたっての効力を発揮することができる。
【００２４】
（実施例１）
図５に示すものは、参考例３における回転輪の外周に突出す回転体の接続を上下動可能とし、突出した先端部を支柱の上端部から繋ぎ止める吊下げ線の形状材質に伸縮性を持たせたものであり、参考例１、２及び３と同様箇所には同符号を付し説明は省略する。すなわち鳥害防止装置２６は、立設した円柱状の支柱２０の下方外周に回転自在に装着された電動機２１でベルト駆動する筒状の回転輪２７の外周には所定長さの棒状の回転体２８を２本、支柱２０の軸心に対向して突出して蝶番状に上下動自在に接続し設け、支柱１９上方の補助環２４と回転体２８の先端部を引張コイルばねの吊下げ線２９で繋ぎ止め水平に保持する。
【００２５】
この構成により、回転体２８は旋回すると引張コイルばねの弾みで上下方向の陽動的な動作をするので、害鳥への威嚇が効果的である。また、回転輪の外周と回転体の接続が固定であっても回転体２８の材質形状に可撓性があれば同様の効果が発揮できる。
【００２６】
【発明の効果】
以上の実施例から明らかなように本発明によれば、立設した支柱の上端に可撓性を有する長尺の回転体を回動自在に支持し、要所に猛禽模型体や光線反射材を取着して下方へ撓らせ旋回させることで、長尺の回転体が旋回と共に、その可撓性によって反曲運動が発生し不規則な動作を行い、害鳥への威嚇強化すると共にその馴化を防止できるという効果のある害鳥防止装置を提供できる。
【００２７】
また、長尺の回転体を棒状としてその先端を支柱の上端から糸状材で旋回自在に吊下げ、他端を支柱の周りに回動自在に支持し猛禽模型体や光線反射材を取着して旋回させることで、視覚的な威嚇と共に視認困難糸状材に接触することで威嚇と共に脅威感を与え、害鳥の接近を排除する効果の強化ができる害鳥防止装置が得られる。
【図面の簡単な説明】
【図１】  本発明の参考例１の鳥害防止装置を示す外観斜視図
【図２】  同参考例１の音声発生回路ブロック図
【図３】  同参考例２の鳥害防止装置を示す外観斜視図
【図４】  同参考例３の鳥害防止装置を示す外観斜視図
【図５】  同実施例１の鳥害防止装置を示す外観斜視図
【符号の説明】
１、１７、１９、２６  鳥害防止装置
２、２０  支柱
３    駆動部
４    電動機回転軸
５    回転板
６、２３、２８  回転体
７    脅し部材
７ａ  猛禽類模型体
７ｂ  光線反射材料
８    マイクロフォン
９    スピーカー
１０  太陽光発電素子
１１  操作部
１２  音声発生回路
１８  サポニウス風車
２１、２７  回転輪
２２  電動機
２０ａ  支線
２０ｂ  アンカー
２４  補助環
２５、２９  吊り下げ線
【図１】
0003761467.tif 000002
【図２】
0003761467.tif 000003
【図３】
0003761467.tif 000004
【図４】
0003761467.tif 000005
【図５】
0003761467.tif 000006